(57)【要約】【課題】複数気配値の価格帯分布の時間的な推移を表示する。【解決手段】気配値表示システムは、インターネットに接続可能なサーバ，リアルタイム気配値供給装置，多数のユーザ端末により構成されている。サーバは、リアルタイム気配値供給装置から取得した気配値情報をその取得日時と関連付けて記憶し、端末からの要求に対応する気配値情報を記憶部から読み出して端末に提供する。端末側では、サーバから取得したデータに基づいて、気配値情報の価格帯分布の時間的な推移を示す画面が表示される。例えば、領域６１１には、指定した銘柄のデータ取得時刻，現在値，出来高が表示され、領域６１２には気配値情報が表示される。具体的には、領域８０５には気配値の存在する価格が横並びに表示されており、その価格毎に用意された領域８０８に、データ取得時刻における気配値の情報が数値や棒グラフで表示される。【選択図】図９
2008269436.tif 000002
【特許請求の範囲】
【請求項１】
時間の経過とともに価格が変動する取引対象の気配値情報を表示する方法であって、
リアルタイム気配値の供給元から気配値情報を取得し、取得した日時情報と関連付けて記憶手段に記憶するステップ，
表示手段に表示する取引対象とその表示対象日時を含む要求を取得するステップ，
取得した要求に対応する日時の取引対象の気配値情報を、前記記憶手段から読み出すステップ，
読み出した気配値情報を、気配値の価格分布の時間的な推移を示す形態に加工するステップ，
加工された気配値情報を前記表示手段に表示するステップ，
を含むことを特徴とする気配値表示方法。
【請求項２】
前記気配値情報が、気配値及びその取得日時以外の情報を含むことを特徴とする請求項１記載の気配値表示方法。
【請求項３】
前記取引対象が、株，先物，為替の少なくとも一つであることを特徴とする請求項１又は２記載の気配値表示方法。
【請求項４】
気配値の取得時刻を一方の軸、気配値の価格帯を他方の軸とする表において、売り数量と買い数量を、数値，グラフ，数値とグラフの組み合わせのいずれかの形態で表示することを特徴とする請求項１〜３のいずれかに記載の気配値表示方法。
【請求項５】
前記要求が、前記気配値情報の表示形態の指定ないし切り替えの要求を含むことを特徴とする請求項１〜４のいずれかに記載の気配値表示方法。
【請求項６】
時間の経過とともに価格が変動する取引対象の気配値情報を表示するシステムであって、
気配値とその取得日時を関連付けた気配値情報を集積した記憶手段，
リアルタイム気配値の供給元から気配値情報を取得し、取得した日時情報と関連付けて前記記憶手段に記憶する気配値取得手段，
表示する取引対象とその表示対象日時を含む要求を取得するための画面を生成する要求取得手段，
該要求取得手段により取得した要求に対応する日時の取引対象の気配値情報を、前記記憶手段から読み出す気配値情報抽出手段，
該気配値情報抽出手段により読み出された気配値情報を、気配値の価格分布の時間的な推移を示す形態に加工する気配値情報加工手段，
加工された気配値情報を表示する表示手段，
を備えたことを特徴とする気配値表示システム。
【請求項７】
前記気配値情報が、気配値及びその取得日時以外の情報を含むことを特徴とする請求項６記載の気配値表示システム。
【請求項８】
前記取引対象が、株，先物，為替の少なくとも一つであることを特徴とする請求項６又は７記載の気配値表示システム。
【請求項９】
前記気配値情報加工手段は、気配値の取得時刻を一方の軸、気配値の価格帯を他方の軸とする表において、
売り数量と買い数量を、数値，グラフ，数値とグラフの組み合わせのいずれかの形態で表示可能となるように、前記記憶部から読み出された気配値情報を加工することを特徴とする請求項６〜８のいずれかに記載の気配値表示システム。
【請求項１０】
前記要求が、前記気配値情報の表示形態の指定ないし切り替えの要求を含むことを特徴とする請求項６〜９のいずれかに記載の気配値表示システム。
【発明の詳細な説明】
【技術分野】
【０００１】
本発明は、コンピュータシステムを利用した気配値表示方法及びシステムに関し、更に具体的には、気配値情報の表示形態の改善に関するものである。
【背景技術】
【０００２】
株式取引において、取引の基準となる値段を気配値といい、指値注文の状況を示している。前記気配値には、売り気配と買い気配がある。このような気配値情報の供給ないし表示方法としては、コンピュータシステムを利用してリアルタイムで提供する方法や、板情報と呼ばれる表示方法によって複数気配値を供給・表示する方法が知られている。前記板情報は、銘柄毎の売り注文と買い注文の値段（すなわち気配値）を、注文数量で一覧表示したものである。また、下記特許文献１には、株式取引における株価データとともに、買い気配値及び売り気配値を時系列の推移グラフとして表示する「株価表示システム，株価表示システムのプログラムを記憶した記憶媒体」が開示されている。更に、下記特許文献２には、ある銘柄に関する日中の株式売買注文に基づいた売買気配値の分布を視覚的に認識し易い態様で提示する「株式売買注文データを表示する株式投資分析チャート」が開示されている。
【特許文献１】特開２００２−７３９８８公報
【特許文献２】特許第３７６５９５８号公報
【発明の開示】
【発明が解決しようとする課題】
【０００３】
しかしながら、以上のような背景技術には次のような不都合がある。まず、上述した板情報による表示方法は、気配値の価格的な分布を把握することには適しているが、現在値のみの表示となっており、時間的な推移を把握するためには、常に表示を監視する必要がある。また、過去の気配値情報を参照することができないという不都合がある。
【０００４】
一方、前記特許文献１に記載の技術では、供給可能な気配値，売り気配株数（売り数量），買い気配株数（買い数量）の推移グラフは、売り気配値であれば最も安い価格，買い気配値であれば最も高い価格のそれぞれ一つずつの価格のみを供給する方法となっている。このため、気配値の価格帯分布を把握することができないという不都合がある。また、ある時点での売り気配株数や買い気配株数が示す数値の価格は、その時点での気配値の価格となるため、気配株数の推移グラフの値がさす数値に対応する価格が時刻により異なってしまい、同一価格での売り気配株数及び買い気配株数の推移を把握することができないという不都合もある。前記特許文献２に記載の技術は、従来の気配値表示の数量部分をグラフ表示したものであり、時系列の把握のためにはチャートを複数作成して、１つの画面上又はシート上に並べて表示しなければならないという不都合がある。
【０００５】
本発明は、以上の点に着目したもので、その目的は、複数気配値の価格帯分布の時間的な推移を把握することができる気配値表示方法及びシステムを提供することである。
【課題を解決するための手段】
【０００６】
前記目的を達成するため、本発明の気配値表示方法は、時間の経過とともに価格が変動する取引対象の気配値情報を表示する方法であって、リアルタイム気配値の供給元から気配値情報を取得し、取得した日時情報と関連付けて記憶手段に記憶するステップ，表示手段に表示する取引対象とその表示対象日時を含む要求を取得するステップ，取得した要求に対応する日時の取引対象の気配値情報を、前記記憶手段から読み出すステップ，読み出した気配値情報を、気配値の価格分布の時間的な推移を示す形態に加工するステップ，加工された気配値情報を前記表示手段に表示するステップ，を含むことを特徴とする。
【０００７】
主要な形態の一つは、前記気配値情報が、気配値及びその取得日時以外の情報を含むことを特徴とする。他の形態は、前記取引対象が、株，先物，為替の少なくとも一つであることを特徴とする。更に他の形態は、気配値の取得時刻を一方の軸、気配値の価格帯を他方の軸とする表において、売り数量と買い数量を、数値，グラフ，数値とグラフの組み合わせのいずれかの形態で表示することを特徴とする。更に他の形態は、前記要求が、前記気配値情報の表示形態の指定ないし切り替えの要求を含むことを特徴とする。
【０００８】
本発明の気配値表示システムは、時間の経過とともに価格が変動する取引対象の気配値情報を表示するシステムであって、気配値とその取得日時を関連付けた気配値情報を集積した記憶手段，リアルタイム気配値の供給元から気配値情報を取得し、取得した日時情報と関連付けて前記記憶手段に記憶する気配値取得手段，表示する取引対象とその表示対象日時を含む要求を取得するための画面を生成する要求取得手段，該要求取得手段により取得した要求に対応する日時の取引対象の気配値情報を、前記記憶手段から読み出す気配値情報抽出手段，該気配値情報抽出手段により読み出された気配値情報を、気配値の価格分布の時間的な推移を示す形態に加工する気配値情報加工手段，加工された気配値情報を表示する表示手段，を備えたことを特徴とする。
【０００９】
主要な形態の一つは、前記気配値情報が、気配値及びその取得日時以外の情報を含むことを特徴とする。他の形態は、前記取引対象が、株，先物，為替の少なくとも一つであることを特徴とする。更に他の形態は、前記気配値情報加工手段は、気配値の取得時刻を一方の軸、気配値の価格帯を他方の軸とする表において、売り数量と買い数量を、数値，グラフ，数値とグラフの組み合わせのいずれかの形態で表示可能となるように、前記記憶部から読み出された気配値情報を加工することを特徴とする。更に他の形態は、前記要求が、前記気配値情報の表示形態の指定ないし切り替えの要求を含むことを特徴とする。本発明の前記及び他の目的，特徴，利点は、以下の詳細な説明及び添付図面から明瞭になろう。
【発明の効果】
【００１０】
本発明は、リアルタイム気配値の供給元から取得した気配値情報を、その取得日時と関連付けて記憶手段に記憶し、表示要求に対応する日時の取引対象の気配値情報を記憶手段が抽出して、価格帯分布の時間的な推移を示す形態で表示することとした。このため、取引時間内における投資判断に要する時間の短縮を図ることができる。また、過去の気配値情報を記憶しておくため、気配値情報の価格帯分布の長い時間帯での推移を把握し、投資判断の材料とすることが可能になるという効果が得られる。
【発明を実施するための最良の形態】
【００１１】
以下、本発明を実施するための最良の形態を、実施例に基づいて詳細に説明する。
【実施例１】
【００１２】
＜全体構成＞・・・最初に、図１を参照しながら本発明の実施例１の全体構成を説明する。図１は、本実施例のシステムの全体構成を示すブロック図である。本発明は、時間の経過とともに価格が変動する取引対象全般に適用可能であるが、本実施例では、前記取引対象として株を例に挙げて説明している。図１に示すように、本実施例の気配値表示システムは、株の気配値情報の取得，記憶，提供を行うサーバ１００と、リアルタイム気配値を供給するリアルタイム気配値供給装置１１０と、気配値情報の取得要求などを行うユーザが使用する複数の端末１０１，１０２，１０３・・・により構成されている。図１では、３つの端末１０１〜１０３のみを図示しているが、実際には多数の端末が存在している。
【００１３】
前記端末１０１〜１０３や、サーバ１００，リアルタイム気配値供給装置１１０は、図示しないモデムやプロバイダを介してインターネット１５０に接続されている。なお、本実施例では、前記リアルタイム気配値供給装置１１０は、証券取引所や証券会社が保有するコンピュータシステムであり、前記サーバ１００にリアルタイム気配値を供給するほか、前記インターネット１５０を介して、ユーザ（証券総合口座の契約者など）に対して直接リアルタイム気配値を提供することも可能となっている。
【００１４】
＜サーバ構成＞・・・次に、図２を参照して、本実施例のサーバの構成を説明する。図２は、前記サーバ１００のシステム構成を示すブロック図である。サーバ１００は、制御手段２０１を中心に構成されており、該制御手段２０１に、記憶手段２０４及び２０５や、入力制御手段２０２，出力制御手段２０３が接続されている。前記制御手段２０１は、ＣＰＵ等から構成されており、前記各手段の制御やデータの転送，演算，データの一時的な格納などを行うものである。前記入力制御手段２０２は、前記インターネット１５０を介して接続された端末１０１〜１０３やリアルタイム気配値供給装置１１０から入力されるデータを制御する。出力制御手段２０３は、前記端末１０１〜１０３やリアルタイム気配値供給装置１１０に出力するデータを制御するものである。
【００１５】
前記記憶手段２０４には、メインプログラム２０４ａが記憶されている。該メインプログラム２０４ａは、前記制御手段２０１において用いられるものであり、前記リアルタイム気配値供給装置１１０と通信を介して気配値情報を取得し、取得日時の情報と関連付けて記憶するためのプログラムや、端末１０１〜１０３の要求に応じて気配値情報を提供するためのプログラム等から構成されている。このようなメインプログラム２０４ａの動作については後述する。このほか、前記記憶手段２０４には、前記リアルタイム気配値供給装置１１０を保有する証券取引所あるいは証券会社や、端末１０１〜１０３とデータの授受を行う際の通信情報などが一時的に保存される。他方の記憶手段２０５には、あらかじめサーバ１００の管理者によって作成された気配値取得対象の銘柄情報ファイル２０５ｂが記憶されている。該銘柄情報ファイル２０５ｂには、銘柄名と銘柄の証券番号が含まれている。また、前記記憶手段２０５には、前記リアルタイム気配値供給装置１１０から取得した気配値に、取得日時を関連付けた気配値情報ファイル２０５ａが記憶されている。本実施例では、前記気配値情報には、銘柄名，取得日時，気配値，株価，出来高が含まれているが、他の情報などを含むようにしてもよい。
【００１６】
＜端末構成＞・・・次に、図３を参照して、本実施例の端末の構成を説明する。図３は、端末１０１〜１０３のシステム構成を示すブロック図である。端末１０１〜１０３は、制御手段３０１を中心に構成されており、該制御手段３０１に、記憶手段３０４や、入力制御手段３０２，出力制御手段３０３が接続されている。また、キーボードやマウスなどの入力部３０５やディスプレイなどの表示部３０６も、前記制御手段３０１に接続されているほか、必要に応じてプリンタなどの出力装置も設けられている。前記制御手段３０１は、ＣＰＵ等から構成されており、前記各手段の制御や、データの転送，演算，データの一時的な格納などを行う。前記入力制御手段３０２は、前記インターネット１５０を介して接続された前記サーバ１００から入力されるデータを制御する。出力制御手段３０３は、前記サーバ１００に出力するデータを制御するものである。前記記憶手段３０４には、メインプログラム３０４ａが記憶されている。
【００１７】
前記メインプログラム３０４ａは、前記制御手段３０１において用いられるものであり、通信を介して前記サーバ１００から気配値情報を取得するためのプログラムや、前記入力部３０５を介して端末１０１〜１０３のユーザからの要求を取得するプログラム，気配値情報を価格帯分布の時間的な推移を示す形態に加工して前記表示部３０６に表示するプログラムなどから構成されている。なお、前記メインプログラム３０４ａの動作については後述する。このほか、記憶手段３０４には、ユーザによって入力された要求内容や、前記サーバ１００から取得した気配値情報などのデータが、一時的に格納される。
【００１８】
＜動作＞・・・次に、図４〜図１８を参照して、本実施例の動作について説明する。図４は、サーバ１００のメインプログラム２０４ａにおける気配値情報取得処理の一例を示すフローチャートである。図５は、前記サーバ１００のメインプログラム２０４ａにおける端末１０１〜１０３への気配値情報配信処理の一例を示すフローチャートである。図６は、端末１０１〜１０３のメインプログラム３０４ａにおける気配値情報表示処理の一例を示すフローチャートである。図７〜図１８は、前記端末１０１〜１０３の表示部３０６における画面表示例である。なお、前記端末１０１〜１０３は、それぞれがインターネット１５０に接続されており、前記サーバ１００と通信する端末として機能するが、説明の便宜上、ここでは、端末１０１が前記サーバ１００に接続されたものとして以下の説明を行う。また、前記リアルタイム気配値供給装置１１０は、証券取引所あるいは証券会社が保有しているものであるが、ここでは証券会社がリアルタイム気配値供給装置１１０を保有しているものとして以下の説明を行う。なお、前記サーバ１００は、前記入力制御手段２０２及び出力制御手段２０３を介して、前記リアルタイム気配値供給装置１１０や端末１０１と通信を行う。
【００１９】
(1)気配値情報の取得処理・・・まず、サーバ１００側における気配値情報の取得処理について説明する。前記サーバ１００は、端末１０１からの要求の有無にかかわらず、証券会社よりリアルタイムで気配値が公開されている時間帯は、銘柄情報ファイル２０５ｂに取得対象として登録した銘柄の気配値を常に取得する。前記証券会社が保有するリアルタイム気配値供給装置１１０との通信は、例えば、ＨＴＴＰプロトコルを介して行うが、具体的な手順は証券会社によって異なっており、各証券会社のＷｅｂブラウザを用いたインターネット取引と同じ手順を用いる。
【００２０】
図４に示すように、サーバ１００が気配値情報の取得を開始する（ステップＳ４００）ときには、まず、制御手段２０１は、出力制御手段２０３を介して証券会社のリアルタイム気配値供給装置１１０に対してログイン作業を行う（ステップＳ４０１）。次に、制御手段２０１は、前記銘柄情報ファイル２０５ｂに基づき、出力制御手段２０３を介してリアルタイム気配値供給装置１１０に対して気配値取得要求を出す。このとき、新しい気配値がある場合（ステップＳ４０２でＹｅｓ）には、要求した時刻の気配値情報をリアルタイム気配値供給装置１１０から入力制御手段２０２を介して取得し（ステップＳ４０３）、記憶手段２０４に一時的に記録する。また、新しい気配値がない場合（ステップＳ４０２でＮｏ）には、後述するステップＳ４０６に進んで所定時間の経過を待つ。
【００２１】
次に、前記制御手段２０１は、前記記憶手段２０４に保存した気配値情報に現在時刻情報（年月日情報を含む）を付加し（ステップＳ４０４）、気配値情報ファイル２０５ａとして記憶手段２０５に保存する（ステップＳ４０５）。そして、所定時間の経過後（ステップＳ４０６）、リアルタイム気配値の公開時間帯である場合（ステップＳ４０７でＹｅｓ）は、前記ステップＳ４０２に戻って新しい気配値情報の取得を繰り返し行う。一方、気配値の公開時間帯でない場合（ステップＳ４０７でＮｏ）には、気配値の取得処理を終了する（ステップＳ４０８）。
【００２２】
(2)サーバから端末への気配値情報配信処理・・・次に、図５を参照して、サーバ１００から端末１０１への気配値情報配信処理について説明する。なお、該気配値情報配信処理は、リアルタイム気配値の公開可能時間帯の間は、上述した気配値情報取得処理と並行して行われている。また、この気配値情報配信処理は、後述する気配値情報表示処理において、端末１０１からの要求に基づいて該当する情報を抽出して配信するまでの動作部分に該当するものである。
【００２３】
図５に示すように、サーバ１００が気配値情報の配信を開始する（ステップＳ４１０）と、制御手段２０１は、入出力制御手段２０２を介して、端末１０１からの接続要求の有無を常時監視する（ステップＳ４１１）。接続要求がない場合（ステップＳ４１１でＮｏ）には、端末１０１からの接続要求があるまで待機する。一方、端末１０１からの接続要求があり、更に、端末から銘柄一覧の要求がある場合（ステップＳ４１２でＹｅｓ）には、制御手段２０１は、記憶部２０５から気配値情報取得対象銘柄の一覧である銘柄情報ファイル２０５ｂを読み出し、出力制御手段２０３を介して端末１０１へ送信する（ステップＳ４１３）。そして、端末１０１から切断要求があれば（ステップＳ４１４でＹｅｓ）、配信処理を終了し（ステップＳ４１７）、切断要求がなければ（ステップＳ４１４でＮｏ）、上述したステップＳ４１２に戻り、端末１０１からの次の要求に対応する。
【００２４】
一方、上述した動作において、端末１０１から銘柄一覧の要求がなく（ステップＳ４１２でＮｏ）、端末１０１から銘柄選択による気配値の要求がない場合（ステップＳ４１５でＮｏ）には、上述したステップＳ４１４へ進み、端末１０１からの切断要求の有無を確認する。また、端末１０１から銘柄一覧の要求がなく（ステップＳ４１２でＮｏ）、銘柄選択による気配値の要求がある場合（ステップＳ４１５でＹｅｓ）には、制御手段２０１は、記憶部２０５の気配値情報ファイル２０５ａから要求に該当する情報を読み出し、出力制御手段２０３を介して端末１０１へ気配値情報を送信する（ステップＳ４１６）。その後は、ステップＳ４１４へ進み、端末１０１から切断要求があるまでは、上述したステップＳ４１２〜ステップＳ４１６の動作を繰り返す。なお、上記処理において、端末１０１からの情報の要求は、端末１０１側で設定されている更新間隔毎に自動的に行われるほか、端末１０１のユーザが気配値の過去データを要求したときなどに行われる。
【００２５】
(3)気配値情報表示処理・・・次に、図６〜図１８を参照して、端末１０１側での気配値表示処理について説明する。図６において、端末１０１で気配値情報の表示処理を開始する（ステップＳ５０１）ときには、まず、制御手段３０１が記憶部３０４のメインプログラム３０４ａを実行することにより、表示部３０６に気配値情報を取得して表示するための専用の入力画面が表示される（ステップＳ５０２）。そして、ユーザが入力部３０５を利用した操作を入力画面上で行うことによって、端末１０１からサーバ１００への各種要求が行われる。図７には、表示部３０６に表示される初期画面の一例が示されている。
【００２６】
表示された入力画面において、ユーザ（利用者）によって何らかの入力があると（ステップＳ５０３でＹｅｓ）、制御手段３０１は、ユーザの要求内容を記憶手段３０４に一時的に記憶する（ステップＳ５０７）。そして、出力制御手段３０３を介して、インターネット１５０に接続されたサーバ１００との通信を行う。ここで、銘柄情報更新要求がある場合（ステップＳ５０８でＹｅｓ）には、サーバ１００から銘柄情報ファイル２０５ｂを取得し（ステップＳ５０９）、画面の表示を更新して（ステップＳ５０６）、ステップＳ５０３に戻り、ユーザからの次の入力を待つ。なお、サーバ１００が端末１１０から要求を受けて銘柄一覧情報や気配値情報を送信するまでの動作は、前記図５のフローチャートの処理動作に基づいて行われる。
【００２７】
ここまでの処理を、表示画面例を参照しながら説明すると、図７の初期画面において、ユーザが「サーバ接続／切断」ボタン６０１をクリックすると、端末１０１は、入力制御手段３０２を介してサーバ１００から銘柄一覧を取得し、記憶部３０４に一時的に保存する。そして、メインプログラム３０４ａの実行により、図７の銘柄一覧ウィンドウ６０２に、図８に一例を示す形態で銘柄一覧が表示される。本実施例では、列７０１に銘柄を表示し、列７０２に証券番号が一覧表示されている。なお、ここでは、前記「サーバ接続／切断」ボタン６０１のクリックにより、前記ステップＳ５０８の銘柄情報更新要求を行うこととしたが、既にサーバ１００に接続済みの場合には、前記図７に示す「銘柄情報更新」ボタン６０８のクリックにより銘柄情報更新要求を行う。
【００２８】
次に、前記ステップＳ５０８で銘柄情報更新要求がなく、ユーザによる銘柄変更（初回の場合は銘柄選択）要求がある場合（ステップＳ５１０でＹｅｓ）には、サーバ１００から該当する銘柄の気配値情報を取得し（ステップＳ５１１）、現在選択されている表示オプションに従って表示部３０６の画面を更新する（ステップＳ５０６）。なお、起動時は、前回の設定に基づいて気配値情報が表示される。また、初めて本システムを実行する場合には、メインプログラム３０４ａで設定された初期値で表示される。
【００２９】
具体例を示すと、前記図８において、銘柄一覧ウィンドウ６０２から、「Ｔ＆Ｇニーズ」を選択すると、サーバ１００の記憶部２０５から該当する銘柄の気配値情報が読み出されて端末１０１に送信される。端末側１０１では、図９に示すように、領域６１１には、気配値以外の情報が時系列に表示される。具体的には、列８０１にデータの取得時刻，列８０２にデータ取得時刻の株価，列８０３に出来高が表示されている。また、領域６１２には気配値情報が表示されている。具体的には、領域８０５には気配値の存在する価格が横並びに表示されており、その価格毎に用意された領域８０８には、データ取得時刻での各価格帯の気配値の情報が表示されている。
【００３０】
図１８には、気配値表示の他の例が示されている。図１８において、領域１７０１は、ある時刻の気配値を表示するために使用されており、数値１７０２は気配値の数量を数値で表示している。買い気配値の場合はマイナス表示、売り気配値の場合はプラス表示となっている。また、領域１７０１の中央を０点として左側へ伸びる長方形１７０４は、買い気配の数量を示す棒グラフであり、前記領域１７０１の中央を０点として右側へ伸びる長方形１７０３は、売り気配の数量を示す棒グラフである。前記長方形１７０３，１７０４は、「売り」と「買い」で異なる色を用いることで、視認性を向上させるようにしてもよい。
【００３１】
次に、前記ステップＳ５１０で銘柄変更要求がなく、ユーザによる表示方法変更要求がある場合（ステップＳ５１２でＹｅｓ）には、端末１０１の制御手段３０１は、メインプログラム３０４ａの実行により、表示方法を記録し（ステップＳ５１３）、要求に基づいて画面表示の更新を行う（ステップＳ５０６）。例えば、図９において、グラフ表示のチェックボックス６０４のチェックが外されると、端末１０１の表示部３０６には、図１０に示すようにグラフ表示をＯＦＦにした気配値情報を表示する。また、前記チェックボックス６０４に、再度チェックを付けると、端末１０１はグラフ表示をＯＮにした図９を表示する。更に、前記図９において、数値表示のチェックボックス６０３のチェックを外すと、端末１０１の表示部３０６には、図１１に示すように数値表示をＯＦＦにした気配値情報が表示される。前記チェックボックス６０３に、再度チェックを付けると、端末１０１は数値表示をＯＮにした図９を表示する。
【００３２】
また、表示する内容は、リアルタイムの気配値情報に限定されておらず、過去データに基づいた気配値情報の表示も可能となっている。例えば、前記図９において、ユーザが表示モード選択用のボタン６０５をクリックすると、図１２に示すメニュー１１０１が表示される。ここで、利用者が「リアルタイム」を選択すると、端末１０１の表示部３０６には、前記図９の画面が表示される。なお、領域６１１及び６１２の表示は、サーバ１００から新しい気配値を取得すると自動的に更新される。
【００３３】
一方、前記図１２のメニュー１１０１において、利用者が「過去のデータ」を選択すると、端末１０１の表示部３０６には、図１３に示す画面が表示される。このとき、端末１０１は、新しい気配値の自動取得を行わない。ここでユーザが、表示する日を選択するためのボタン１２０２をクリックすると、表示部３０６には、図１４に示す画面が表示される。本実施例では、ボタン１２０２のクリックにより、年月日を選択するためのカレンダ１３００が表示される。ユーザは、領域１３０１のボタン１３０２又は１３０３をクリックして年と月を変更し、更に領域１３０４の日付をクリックすることにより表示する日付を選択する。すると、端末１０１は、サーバ１００から該当日の気配値情報のデータを取得して画面表示を更新する。
【００３４】
なお、情報を表示する間隔は、設定変更が可能となっている。例えば、図９において、ユーザが表示間隔選択用のボタン６０７をクリックすると、表示部３０６には、図１５に示すメニュー１４０１が表示される。図示の例では、「気配値更新」「間隔任意」「間隔１秒」「間隔１０秒」「間隔１分」「間隔１０分」が一覧表示されている。ここで、「気配値更新」を選択した場合には、サーバ１００が有するデータがそのまま表示される。また、「間隔１秒」〜「間隔１０分」のいずれかが選択された場合には、指定された間隔毎にデータを正規化して表示する。正規化とは、Ｘ秒間隔にデータ取得時刻の間隔を省略し、その時刻に最も近いデータをその時刻のデータとして表示することである。
【００３５】
更に、「間隔任意」を選択した場合には、図１６に示すように、任意間隔を指定するための入力欄１５０１が表示される。ここで、ユーザが任意の秒数（例えば、「１８０秒」）を入力すると、端末１０１は、間隔を１８０秒に正規化し、図１７に示す画面を表示する。図示の例では、領域６１１には、１８０秒毎のデータ取得時刻と、その時刻における現在値および出来高が表示され、領域６１２には、気配値の存在する価格と、その価格における気配値の数量がデータ取得時刻毎に表示されている。
【００３６】
次に、前記ステップＳ５１２において表示方法の要求がなく、ユーザによる終了要求がある場合（ステップＳ５１４でＹｅｓ）には、気配値表示処理を終了する（ステップＳ５１５）。また、ユーザによる終了要求がない場合（ステップＳ５１４でＮｏ）には、上述したステップＳ５０３に戻り、ユーザからの入力を待つ。なお、ユーザからの終了要求は、図７における「終了」ボタン６０９のクリックにより行う。
【００３７】
一方、前記ステップＳ５０３でユーザによる入力がなく、リアルタイム更新機能も有効ではない場合（ステップＳ５０４でＮｏ）には、前記ステップＳ５０３に戻りユーザからの入力を待つ。また、前記ステップＳ５０３でユーザによる入力がなく、リアルタイム更新機能が有効な場合（ステップＳ５０４でＹｅｓ）には、選択されている銘柄の気配値情報をサーバ１００から自動的に取得し（ステップＳ５０５）、画面表示を更新する（ステップＳ５０６）。その後は、ユーザからの終了要求があるまで、前記ステップＳ５０３に戻り、上述した動作を繰り返す。
【００３８】
このように、実施例１によれば、リアルタイム気配値供給装置１１０から取得した気配値情報を、その取得日時と関連付けてサーバ１００の記憶手段２０５に蓄積し、端末１０１からの要求に対応する期間（日時）の気配値情報を前記記憶手段２０５から読み出して端末１０１に提供する。端末１０１側では、取得した気配値情報を、価格帯分布の時間的な推移を示す形態で表示することとしたので、取引時間内における投資判断に要する時間の短縮を図ることができる。また、過去の気配値情報を記憶しておくため、気配値情報の価格帯分布の長い時間帯での推移の把握が可能になることから、対象銘柄の株式の需要と供給の分布を知って、今後の投資判断の材料とすることができるという効果がある。
【００３９】
なお、本発明は、上述した実施例に限定されるものではなく、本発明の要旨を逸脱しない範囲内において種々変更を加え得ることができる。例えば、以下のものも含まれる。
(1)前記実施例で示した具体的なデータなどはいずれも一例であり、必要に応じて適宜変更してよい。例えば、前記実施例では、データ取得時刻，現在値，出来高，気配値の存在する価格と気配の数量を表示することとしたが、他の情報を表示するようにしてもよい。
(2)前記実施例では、気配値の価格帯の時間的な推移を、数値，棒グラフ，数値と棒グラフの組み合わせから選択可能な構成としたが、これも一例であり、いずれか一つを表示するようにしてもよいし、同様の作用を奏するものであれば、他の表示方法（例えば、３Ｄ形式のグラフ表示など）を採用するようにしてもよい。
【００４０】
(3)前記実施例におけるシステム構成や動作，表示画面は一例であり、同様の作用を奏するように適宜変更可能である。例えば、前記実施例では、サーバ１００で気配値の取得，記憶，提供を行い、端末１０１では配信された気配値情報の加工と表示を行うこととしたが、これも一例であり同様の効果を奏するように適宜設計変更可能である。例えば、サーバ１００で、気配値の取得，記憶，加工までを行い、端末１０１へインターネット１５０を介してデータを提供し、端末１０１では表示のみを行うようにしてもよい。あるいは、端末１０１がサーバ１００を兼ねており、気配値の取得から表示までの全ての処理を実行できる場合には、サーバ１００を別途用意する必要はない。また、本発明は、インターネット１５０に限定されるものではなく、ネットワーク一般に適用可能である。
【００４１】
(4)前記実施例では、端末１０１〜１０３は、証券総合口座の契約者が使用するものとして説明したが、仮に、サーバが気配値を取得して配布する権利を有するような場合は、必ずしも口座の契約者である必要はない。
(5)前記実施例１では、株を例に挙げて説明したが、このほかにも、先物や為替などのように、時間の経過とともに価格が変動するような取引対象であれば、本発明は適用可能である。
【産業上の利用可能性】
【００４２】
本発明によれば、リアルタイム気配値の供給元から取得した気配値情報を、その取得日時と関連付けて記憶手段に記憶し、表示要求に対応する気配値情報を前記データベースから抽出して、気配値情報の価格帯分布の時間的な推移を示す形態で表示することとした。このため、気配値表示システムの用途に適用できる。特に、過去の気配値情報を記憶しておくため、価格帯分布の長期的な推移を把握する場合に好適である。
【図面の簡単な説明】
【００４３】
【図１】本発明の実施例１の気配値表示システムの全体構成を示すブロック図である。
【図２】前記実施例１のサーバのシステム構成を示すブロック図である。
【図３】前記実施例１の端末のシステム構成を示すブロック図である。
【図４】前記実施例１のサーバにおける気配値情報取得処理の一例を示すフローチャートである。
【図５】前記実施例１のサーバにおける端末へ気配値情報配信処理の一例を示すフローチャートである。
【図６】前記実施例１の端末における気配値情報表示処理の一例を示すフローチャートである。
【図７】前記実施例１の端末の表示部における画面表示例である。
【図８】前記実施例１の端末の表示部における画面表示例である。
【図９】前記実施例１の端末の表示部における画面表示例である。
【図１０】前記実施例１の端末の表示部における画面表示例である。
【図１１】前記実施例１の端末の表示部における画面表示例である。
【図１２】前記実施例１の端末の表示部における画面表示例である。
【図１３】前記実施例１の端末の表示部における画面表示例である。
【図１４】前記実施例１の端末の表示部における画面表示例である。
【図１５】前記実施例１の端末の表示部における画面表示例である。
【図１６】前記実施例１の端末の表示部における画面表示例である。
【図１７】前記実施例１の端末の表示部における画面表示例である。
【図１８】前記実施例１の端末の表示部における画面表示例である。
【符号の説明】
【００４４】
１００：サーバ
１０１〜１０３：端末
１１０：リアルタイム気配値供給装置
１５０：インターネット
２０１：制御手段
２０２：入力制御手段
２０３：出力制御手段
２０４，２０５：記憶手段
２０４ａ：メインプログラム
２０５ａ：気配値情報ファイル
２０５ｂ：銘柄情報ファイル
３０１：制御手段
３０２：入力制御手段
３０３：出力制御手段
３０４：記憶手段
３０４ａ：メインプログラム
３０５：入力部
３０６：表示部
６０１，６０５，６０７，６０８，６０９，１２０２，１３０２，１３０３：ボタン
６０２：銘柄一覧ウィンドウ
６０３，６０４：チェックボックス
６１１，６１２，８０５，８０８，１３０１，１３０４，１７０１：領域
７０１，７０２，８０１，８０２，８０３：列
１１０１，１４０１：メニュー
１３００：カレンダ
１５０１：入力欄
１７０２：数値
１７０３，１７０４：長方形
【図１】
2008269436.tif 000003
【図２】
2008269436.tif 000004
【図３】
2008269436.tif 000005
【図４】
2008269436.tif 000006
【図５】
2008269436.tif 000007
【図６】
2008269436.tif 000008
【図７】
2008269436.tif 000009
【図８】
2008269436.tif 000010
【図９】
2008269436.tif 000011
【図１０】
2008269436.tif 000012
【図１１】
2008269436.tif 000013
【図１２】
2008269436.tif 000014
【図１３】
2008269436.tif 000015
【図１４】
2008269436.tif 000016
【図１５】
2008269436.tif 000017
【図１６】
2008269436.tif 000018
【図１７】
2008269436.tif 000019
【図１８】
2008269436.tif 000020